(57)【要約】【課題】棒金硬貨を収納する硬貨ポケットのサイズを任意に変更可能にして、効率的な釣銭準備金の管理を行える硬貨収納管理装置を提供する。【解決手段】アダプタ３０は、収納トレーの各凹みに装着されて、五百円棒状硬貨より外形寸法の小さな各種棒金硬貨の形状に合わせた内枠形状を有するものであって、その外形寸法が五百円棒状硬貨の外形寸法に一致する大きさで、例えば合成樹脂などによって構成される。硬貨ポケットの大きさを、例えば百円棒状硬貨に合わせた凹み形状にサイズ変更する際、アダプタ３０の内枠形状として、長手方向の寸法Ｌ、および短手方向の寸法Ｄが、それぞれ百円棒状硬貨の積層硬貨枚数分の厚み寸法、および棒金硬貨径に等しいものが使用される。アダプタ３０以外に、一円棒状硬貨、五円棒状硬貨、十円棒状硬貨、五十円棒状硬貨に対応する内枠形状を有するものを用意する。【選択図】図２
2008305033.tif 000002
【特許請求の範囲】
【請求項１】
同一金種の硬貨が所定の枚数積層されて棒状に包装された棒金硬貨を収納して管理する硬貨収納管理装置において、
前記棒金硬貨を１本ずつ収納する硬貨ポケットとして、複数の凹みが表面に形成された収納トレーと、
前記硬貨ポケット毎に前記収納トレーの背面位置に配置され、前記棒金硬貨の有無を検知するセンサ手段と、
前記センサ手段による前記棒金硬貨の検知結果に基づいて、前記収納トレーに収納された前記棒金硬貨を管理する管理手段と、
前記収納トレーの前記凹みに嵌合自在であって、前記硬貨ポケットに収納すべき前記棒金硬貨の直径寸法に応じた横幅、および前記棒金硬貨の積層硬貨枚数分の厚み寸法に応じた縦方向長さの内枠形状を有するアダプタと、
を備えたことを特徴とする硬貨収納管理装置。
【請求項２】
前記収納トレーの前記凹みは、前記棒金硬貨の異金種間における最大直径であって、最大長さのものに対応する大きさに形成されていることを特徴とする請求項１記載の硬貨収納管理装置。
【請求項３】
前記硬貨ポケットを構成する前記凹みは、前記棒金硬貨の異金種間における最大直径に応じた大きさの半円形状の断面を有することを特徴とする請求項１記載の硬貨収納管理装置。
【請求項４】
前記センサ手段は、前記棒金硬貨が前記硬貨ポケットまたは前記アダプタに収納されたことにより、当該棒金硬貨の有無を検知するとともに、当該棒金硬貨の金種別に生じる磁力線の変化割合に基づいて当該金種を識別検知する磁気センサであることを特徴とする請求項１記載の硬貨収納管理装置。
【請求項５】
前記センサ手段は、さらに前記硬貨ポケットの縦方向両端部に配置され、前記棒金硬貨のうち穴あき硬貨に対応する中央部分を長手方向に透過する光軸を有する第１のフォトセンサを備えていることを特徴とする請求項４記載の硬貨収納管理装置。
【請求項６】
前記センサ手段は、さらに前記硬貨ポケットの縦方向両端部に配置され、最大直径を有する前記棒金硬貨の上端部分を長手方向に透過する光軸を有する第２のフォトセンサを備えていることを特徴とする請求項４記載の硬貨収納管理装置。
【発明の詳細な説明】
【技術分野】
【０００１】
本発明は、同一金種の硬貨が所定の枚数積層されて棒状に包装された棒金硬貨を収納して管理する硬貨収納管理装置に関し、とくに釣銭払出機などと一体に用いられ、釣銭準備金としての棒金硬貨を収納しておいて必要時に釣銭硬貨の補充を可能にする硬貨収納管理装置に関する。
【背景技術】
【０００２】
近年、スーパーマーケットやコンビニエンスストアなどのレジには、ＰＯＳ（販売時点情報管理）システムのような上位装置に接続して、紙幣処理装置とともに受け取った硬貨を釣銭として再利用することができる釣銭払出機が導入されている。
【０００３】
釣銭払出機とは、概略的には投入された硬貨を内部に自動的に取り込んで、それらを硬貨収納庫に収納するとともに、その入金情報を外部の上位装置に送信する硬貨保管機能と、また外部の上位装置からの釣銭払出要求に応じて、収納されている硬貨の入金情報を送信して、該当する金額を保管している硬貨から釣銭として払い出す釣銭払出機能を備えている。すなわち、入金硬貨を払い出し硬貨として再利用するリサイクル機能を持つことによって、釣銭払出機の容積を小型化できるものである。
【０００４】
この種の釣銭払出機では、その内部で特定の金種の硬貨が全て払い出されてしまうと、営業時間中であってもレジでの釣銭払い出しが行えなくなる。そこで、レジ毎に釣銭払出機とは別の引き出しなどに、同一金種の硬貨が一定枚数だけ棒状にまとめて包装された棒金硬貨を釣銭準備金として保管しておくことで、釣銭硬貨が不足した時点で簡単かつ確実に補充できるようになる。
【０００５】
ところが、こうした棒金硬貨の管理に際しては、店舗の開店時に決まった本数の棒金硬貨を所定の位置に保管して、定期的にそれらの過不足をチェックする必要がある。また、レジ担当者の交代時には、釣銭払出機内部だけでなく、保管された棒金硬貨の残額をチェックする必要もあった。
【０００６】
例えば、特許文献１などで提案されている釣銭補充管理システムは、取り出された棒金硬貨と、釣銭用として補充されたバラ硬貨との間の対応を正確に管理し、かつ保管することができるようになっている。
【０００７】
図８は従来の釣銭補充管理システムの一例を示す図である。
この釣銭補充管理システムは、棒金収納庫１０１、硬貨釣銭機１０２およびＰＯＳレジスタ１０３から構成され、それぞれ制御ユニット１０１ａ，１０２ａ，１０３ａを有している。そのうち、棒金収納庫１０１の制御ユニット１０１ａは、硬貨釣銭機１０２の制御ユニット１０２ａと通信接続され、硬貨釣銭機１０２の制御ユニット１０２ａは、ＰＯＳレジスタ１０３の制御ユニット１０３ａと通信接続されている。棒金収納庫１０１は、収納庫本体に対してそれぞれ前方へ引き出し自在に設けられた３つの棒金ドロア１０４〜１０６を有している。各棒金ドロア１０４〜１０６には、特定金種の棒金硬貨をそれぞれ１本ずつ収納可能な複数の棒金収納部が設けられている。
【０００８】
例えば、上段／中段／下段の各棒金ドロア１０４〜１０６には、１円／１０円／１００円の棒金硬貨用の収納部が８つ、および５円／５０円／５００円の棒金硬貨用の収納部が２つずつ、それぞれ設けられる。なお、各収納部における棒金硬貨の収納姿勢は、棒金硬貨の軸線が棒金ドロア１０４〜１０６の引き出し方向と直交するような、横向きの水平姿勢である。また、棒金収納庫１０１は、棒金ドロア１０４〜１０６の棒金収納部毎に棒金硬貨の有無を検知する棒金有無検知手段１０７を有している。そして、棒金収納庫１０１の制御ユニット１０１ａは、棒金有無検知手段１０７による検知結果を硬貨釣銭機１０２の制御ユニット１０２ａへ送信する検知結果送信手段としての機能を有している。
【０００９】
また、棒金収納庫１０１の本体前面には、棒金有無検知手段１０７による検知結果に基づいて各金種の棒金硬貨のＦＵＬＬ（満杯）／ＥＭＰＴＹ（品切）等の状態を表示する表示パネルが設けられている。
【００１０】
棒金収納庫１０１の引き出されていた棒金ドロア１０４〜１０６が手動で押し込まれる際に、棒金有無検知手段１０７は棒金ドロア１０４〜１０６の棒金収納部毎に、棒金硬貨の有無だけでなく、収納されている棒金硬貨の直径および中心孔の有無も特定することで、各収納部に存在する棒金硬貨が、本来収納すべき金種の棒金硬貨であるか否かを検知できるようになっている。
【００１１】
硬貨釣銭機１０２は、投入口１０２ｂ、識別手段１０２ｃ、選別手段１０２ｄ、金種別収納部１０２ｅおよび払出口１０２ｆを有している。したがって、取出棒金硬貨の包装を解いて得られたバラ硬貨が硬貨釣銭機１０２の投入口１０２ｂへ投入された際に、硬貨釣銭機１０２の制御ユニット１０２ａから識別手段１０２ｃによって識別されたバラ硬貨の金種および枚数と、棒金収納庫１０１における棒金有無検知手段１０７の検知結果に基づいて特定された取出棒金硬貨の金種および本数を比較することによって、両者間の対応を判定することができ、取り出された棒金硬貨と、釣銭用として補充されたバラ硬貨との間の対応を正確に管理することができるというものである。
【特許文献１】特開２００６−８５３３２号公報（段落番号［００１１］〜［００２４］、図１など）
【発明の開示】
【発明が解決しようとする課題】
【００１２】
上述した従来装置は、棒金有無検知手段１０７によって保管される棒金硬貨をチェックしているが、こうした棒金硬貨を予め用意する場合、どのような金種をどの程度用意する必要があるかについては、店舗毎の商品に設定されている値段に応じて変わってくる。例えば、１円単位の値段設定がなされていれば１円硬貨の取り扱いが増加し、１００円単位の値段設定がなされていれば１００円硬貨の取り扱いが増加する。
【００１３】
ところが、上述した従来の各棒金ドロア１０４〜１０６では、複数の棒金収納部にそれぞれ特定金種の棒金硬貨を１本ずつ収納する構成であるから、１円／１０円／１００円の棒金硬貨はそれぞれ最大で８本、５円／５０円／５００円の棒金硬貨はそれぞれ最大で２本まで収納できるだけで、その金種構成は変更することができない。したがって、従来装置のように棒金収納部のサイズが固定されていると、釣銭管理において収納可能な棒金種類が店舗毎、あるいは業態毎に異なることから、硬貨収納管理装置による釣銭運用効率が低下するという問題があった。
【００１４】
本発明はこのような点に鑑みてなされたものであり、棒金硬貨を収納する硬貨ポケットのサイズを運用形態に応じて変更可能にし、効率的な釣銭準備金の管理を行える硬貨収納管理装置を提供することを目的とする。
【課題を解決するための手段】
【００１５】
本発明では、上記問題を解決するために、同一金種の硬貨が所定の枚数積層されて棒状に包装された棒金硬貨を収納して管理する硬貨収納管理装置において、前記棒金硬貨を１本ずつ収納する硬貨ポケットとして、複数の凹みが表面に形成された収納トレーと、前記硬貨ポケット毎に前記収納トレーの背面位置に配置され、前記棒金硬貨の有無を検知するセンサ手段と、前記センサ手段による前記棒金硬貨の検知結果に基づいて、前記収納トレーに収納された前記棒金硬貨を管理する管理手段と、前記収納トレーの前記凹みに嵌合自在であって、前記硬貨ポケットに収納すべき前記棒金硬貨の直径寸法に応じた横幅、および前記棒金硬貨の積層硬貨枚数分の厚み寸法に応じた縦方向長さの内枠形状を有するアダプタと、を備えたことを特徴とする硬貨収納管理装置が提供される。
【００１６】
このような硬貨収納管理装置によれば、収納トレーの硬貨ポケットのサイズを棒金硬貨の直径寸法および厚み寸法の最も大きいサイズにしておき、釣銭準備金として必要な金種に対応したアダプタを硬貨ポケットに嵌合して使用するようにした。これにより、硬貨収納管理装置のあらゆる運用形態において、不要となる硬貨ポケットや、不足する硬貨ポケットがなくなり、効率的な釣銭準備金の管理が可能になる。
【発明の効果】
【００１７】
本発明によれば、アダプタを用いてサイズの異なる棒金硬貨毎に収納トレーの凹み形状を変更することができる。したがって、同じ硬貨ポケットが形成された収納トレーを用いたときに、棒金収納部のサイズを固定することで不要となる硬貨ポケットや、不足する硬貨ポケットをなくして、効率的な釣銭準備金の管理を行える。
【発明を実施するための最良の形態】
【００１８】
以下、図面を参照してこの発明の実施の形態について説明する。
図１は実施の形態に係る硬貨収納管理装置を示す斜視図である。
この硬貨収納管理装置は、上面が平坦面をなし、収納筐体（棒金ストッカ）１の前面から引き出し可能なドロア２を備えている。ドロア２の内部には、複数本の棒金硬貨を１本ずつ収納するための硬貨ポケット３１〜３９および紙幣・商品券などを収納する紙幣・商品券ポケット４０などを有する収納トレー５が配置されている。このうち、硬貨ポケット３１〜３９は、それぞれ所定の横幅と縦方向長さで、かつ断面が所定の深さで半円形状の凹みとして収納トレー５の表面に形成されている。
【００１９】
図１では、ドロア２を三分の一程度まで収納筐体１から引き出した状態で、収納トレー５の縦方向に９本分の棒金硬貨を収納するための硬貨ポケット３１〜３９と、一つの紙幣・商品券ポケット４０だけが図示されている。ここで、９個の硬貨ポケット３１〜３９は、それぞれ所定枚数（通常は、５０枚）の５００円硬貨を棒状に包装した棒金硬貨（五百円棒状硬貨）が１本ずつ収納可能な大きさに形成されている。また、このドロア２の前面には、複数個の硬貨ポケットにそれぞれ対応する表示ランプ６ａ〜６ｎを備えた発光表示装置が配置されている。表示ランプ６ａ〜６ｎは、２色の発光ダイオード（ＬＥＤ）を切り替えて表示することで、ドロア２が閉じられた状態であっても、収納トレー５に収納された棒金硬貨の収納状態を外から目視で把握して管理することができる。
【００２０】
なお、収納筐体１の上面には、図示しない自動釣銭機が載置される。また、ドロア２の前面右側には、所定幅の切り欠き部２ａが形成され、ドロア２を引き出さなくても紙幣や商品券を収納トレー５の紙幣・商品券ポケット４０に挿入できるようになっている。
【００２１】
図２は収納トレーの硬貨ポケットに装着されるアダプタの一例を示す斜視図である。
アダプタ３０は、例えば合成樹脂などによって、収納トレー５の各凹みに嵌合可能な大きさに構成されている。すなわち、このアダプタ３０の外形寸法は、五百円棒状硬貨の外形寸法に一致する大きさであって、その内枠形状は、五百円棒状硬貨より外形寸法の小さな各種棒金硬貨のいずれかの形状に合わせたものとして構成される。
【００２２】
いま、図２に示すように、長手方向の寸法Ｌ、および短手方向の寸法Ｄが、例えばそれぞれ百円棒状硬貨の積層硬貨枚数分の厚み寸法、および棒金硬貨径に等しい内枠形状であれば、そのようなアダプタ３０を収納トレー５の各凹みに嵌合することにより、硬貨ポケット３１〜３９の大きさを、５０枚の１００円硬貨を棒状に包装した棒金硬貨（百円棒状硬貨）に合わせた凹み形状にサイズ変更することができる。硬貨ポケット３１〜３９のサイズの変更に際して、アダプタ３０の前面部分などに「百円」の表記を設けておくことで、アダプタ３０の取り扱いが容易になる。
【００２３】
アダプタ３０は、それぞれ百円棒状硬貨用のもの以外に、１円硬貨、５円硬貨、１０円硬貨、５０円硬貨をそれぞれ５０枚の棒状に包装した棒金硬貨（一円棒状硬貨、五円棒状硬貨、十円棒状硬貨、五十円棒状硬貨）に対応する内枠形状を有するものが用意される。そして、それらを選択して使用することによって、硬貨ポケット３１〜３９のサイズ変更が可能となり、百円棒状硬貨だけでなく、一円棒状硬貨、五円棒状硬貨、十円棒状硬貨、五十円棒状硬貨を収納することができる。
【００２４】
図３は各種サイズの硬貨を硬貨ポケットに収納した状態を示す断面図である。
収納トレー５の硬貨ポケット３１には、アダプタ３０が嵌合されていない。したがって、ここには五百円棒状硬貨Ｇが収納される。隣接する硬貨ポケット３２には、内枠形状が一円棒状硬貨Ｇａの積層硬貨枚数分の厚み寸法、および棒金硬貨径に等しい第１のアダプタ３０ａが嵌合されている。また、硬貨ポケット３３には、内枠形状が十円棒状硬貨Ｇｂの積層硬貨枚数分の厚み寸法、および棒金硬貨径に等しい第２のアダプタ３０ｂが嵌合されている。
【００２５】
このように、収納トレー５の表面に形成された複数の凹みが、いずれも棒金硬貨の異金種間における最大直径を有する五百円棒状硬貨を収納可能な大きさに形成されていれば、硬貨ポケット３１〜３９には、アダプタ３０を選択して嵌合するだけで、他の硬貨種類の棒金硬貨がそれぞれ収納可能となる。すなわち、硬貨収納管理装置を設置する店舗において、例えば１円単位の値段設定が多くなされているものとすれば、１円硬貨の取り扱いが増加することが予測できるから、ドロア２の内部の収納トレー５に一円棒状硬貨に対応する第１のアダプタ３０ａを嵌合すればよい。このように、適切な金種のアダプタ３０を用いて、予め硬貨ポケット３１〜３９のサイズを変更しておくだけで、効率的な釣銭準備金の管理が可能になる。
【００２６】
ここで、各硬貨ポケット３１〜３９に嵌合されるアダプタ３０と対応する硬貨種類について説明する。
図４は収納トレーにおける各硬貨ポケットに収納される硬貨サイズなどを示す図である。
【００２７】
ここには、現在の日本国内で流通している６種類の硬貨の棒金硬貨（一円棒状硬貨、五円棒状硬貨、十円棒状硬貨、五十円棒状硬貨、百円棒状硬貨、五百円棒状硬貨）について、それぞれ棒金硬貨径、対応するアダプタの内径、および中心孔の有無を表にして示している。なお、いずれの棒金硬貨径も、その包装材料（紙、あるいは樹脂フィルムなど）の厚みを考慮して、包装される実際の硬貨の直径よりも約０．４ｍｍ程度大きくなっている。
【００２８】
各硬貨ポケット３１〜３９に嵌合されるアダプタの内径（短手方向の寸法）Ｄは、収納される棒金硬貨径よりも約０．４ｍｍ程度大きく形成されている。また、６種類の収納可能な硬貨は、その一枚当りの厚みが１．５〜２．０ｍｍの範囲で異なっており、したがって、各アダプタに形成される内枠の縦方向長さＬも、棒金硬貨の積層硬貨枚数分の厚み寸法に応じて設計されている。
【００２９】
こうして、図３に示すように、例えば硬貨ポケット３２に第１のアダプタ３０ａが嵌合されていれば、そこには一円棒状硬貨だけが収納できることになる。何故ならば、第１のアダプタ３０ａにとっては、１円硬貨以外の棒金硬貨は、いずれも棒金硬貨径が大きすぎて収納することができないからである。
【００３０】
図５はアダプタを用いた硬貨ポケットに適正な形状の棒金硬貨を収納した状態を示す平面図、図６はアダプタを用いた硬貨ポケットに外形寸法が不適正な棒金硬貨を収納した状態を示す図であって、（Ａ）は棒金径が大きい場合の横断面図、（Ｂ）は棒金長さが長い場合の縦断面図である。
【００３１】
収納トレー５の硬貨ポケット３２に図３に示す第１のアダプタ３０ａを嵌合して、そこに適正な一円棒状硬貨Ｇａが収納された場合、図５に示す状態となるから、一円棒状硬貨Ｇａはポケット底面の全体と接触した状態となる。しかし、一円棒状硬貨Ｇａより棒金硬貨径が大きな十円棒状硬貨Ｇｂを収納しようとすれば、そこに嵌合されている第１のアダプタ３０ａにより、図６の（Ａ）に示すように収納トレー５のポケット底面から浮き上がって、不適正な収納状態となる。
【００３２】
また、収納トレー５の硬貨ポケット３３に第２のアダプタ３０ｂを嵌合して、そこに適正な十円棒状硬貨が収納された場合は、一円棒状硬貨Ｇａの場合と同様に図５に示す状態となって、ポケット底面の全体と接触する。ところが、１０円硬貨に比較して硬貨直径は小さいけれども、硬貨１枚当りの厚みが大きい五十円棒状硬貨Ｇｃなどを収納しようとすると、図６の（Ｂ）に示すように、第２のアダプタ３０ｂは五十円棒状硬貨Ｇｃの積層硬貨枚数分の厚み寸法に対して内枠の縦方向長さＬが足りなくなる。したがって、収納トレー５の上面から五十円棒状硬貨Ｇｃの片側端部が突出して、不適正な収納状態になる。
【００３３】
このように、硬貨収納管理装置の各硬貨ポケット３１〜３９の凹み形状が同じであっても、アダプタ３０などにより、硬貨ポケット３１〜３９のサイズを変更できる。サイズ変更によって複数金種の棒金硬貨を確実に区別するためには、例えば一円棒状硬貨Ｇａの第１のアダプタ３０ａについては、その内枠形状が２１．４ｍｍの棒金硬貨径を有する５０円硬貨との直径の差を超えない範囲で、一円棒状硬貨Ｇａの直径寸法の２０．４ｍｍより大きな横幅を有していればよい。そうすれば、一円棒状硬貨Ｇａ以外の棒金硬貨については、その不適正な収納状態（図６の（Ａ））であることが目視により、あるいは後述する磁気センサ、光透過型のフォトセンサなどによっても判別することができる。
【００３４】
ところで、百円棒状硬貨用の第２のアダプタ３０ｂは、そのアダプタ内径が２３．４ｍｍに形成されているため、五百円棒状硬貨、十円棒状硬貨については、図６の（Ａ）に示すような不適正な収納状態となる。ところが、百円棒状硬貨の直径２３．０ｍｍより小さな１円、５円、５０円の棒金硬貨であれば図５に示すように収納されてしまうため、アダプタ内径だけではこれらの棒金硬貨を区別して判定することができない。
【００３５】
そこで、硬貨ポケット３１〜３９に第２のアダプタ３０ｂなどを嵌合したとき、５円、５０円の棒金硬貨から百円棒状硬貨を区別するために、五円棒状硬貨、五十円棒状硬貨の中心孔を検知する、例えば光透過型のフォトセンサを各硬貨ポケット３１〜３９のポケット長手方向に配置して、それらの中心孔の有無を判定する必要がある。また、１円硬貨（アルミニウム）と１００円硬貨（白銅）の棒金硬貨を区別するために、それらの材質の相違をコイルセンサによって検出して識別するようにしている。
【００３６】
同様に、十円棒状硬貨用のアダプタは、その内枠形状だけでは１円、５円の棒金硬貨を識別できないが、中心孔の有無判定により五円棒状硬貨を検知し、さらにコイルセンサによって１円硬貨（白銅）と１０円硬貨（青銅）の棒金硬貨の材質を識別すればよい。
【００３７】
また、五円棒状硬貨用のアダプタでは、その内枠形状だけでは１円の棒金硬貨を区別できないが、１円硬貨には中心孔が無いことから光透過型のフォトセンサによって検知できる。
【００３８】
同じく、五十円棒状硬貨用のアダプタでは、その内枠形状だけでは１円の棒金硬貨を区別できないが、１円硬貨には中心孔が無いことから光透過型のフォトセンサによって１円の棒金硬貨を識別できる。
【００３９】
さらに、５００円硬貨の棒金硬貨径が２６．９ｍｍであって、他の５つの金種に対して最大径を有していることからアダプタを使用しないが、その場合に、硬貨ポケット３１〜３９のポケット径ではいずれの棒金硬貨とも区別することができない。しかし、硬貨ポケット３１〜３９の凹みの底面から上方に、２６．８〜２４．３ｍｍの範囲、例えば２５ｍｍの位置にポケット長手方向に光透過型のフォトセンサを配置することで、フォトセンサの光が五百円棒状硬貨によって遮光されるようになって、五百円棒状硬貨を他の棒状硬貨から識別できる。
【００４０】
つぎに、硬貨ポケット３１〜３９毎に必要なアダプタや磁気センサなどを配置して棒金硬貨の有無を検知するとともに、当該金種を識別管理する具体的な方法について説明する。
【００４１】
図７は本発明の硬貨収納管理装置に適用される硬貨管理回路の一例を示すブロック図である。
フォトセンサ７ａ〜７ｎは、硬貨ポケット３１〜３９の縦方向両端部に配置された発光・受光素子７１ａ〜７１ｎを備え、棒金硬貨のうち穴あき硬貨に対応する長手方向中央部分を透過する光軸を有する。レベル検出回路７２ａ〜７２ｎは、発光・受光素子７１ａ〜７１ｎの出力波形を基準値と比較してレベル検出を行い、検出結果を演算制御回路９０に出力している。
【００４２】
コイルセンサ８ａ〜８ｎは、硬貨ポケット３１〜３９の背面位置にそれぞれ配置され、一般的な金属を検知する金属探知装置、金属間の相対距離を測定する距離測定装置、近接した位置に金属の有無を判定する近接センサ装置などと同様、例えば凹み内に磁場を形成する磁気コイル８１ａ〜８１ｎと、磁気コイル８１ａ〜８１ｎに接続され、コンデンサや能動素子などを含む発振制御回路８２ａ〜８２ｎとを備えている。これらのコイルセンサ８ａ〜８ｎは、それぞれ棒金硬貨が硬貨ポケット３１〜３９に収納されたことにより、当該棒金硬貨の有無を検知するとともに、当該棒金硬貨の金種別に生じる磁力線の変化割合に基づいて当該金種を識別検知するものである。レベル検出回路８３ａ〜８３ｎは、磁気コイル８１ａ〜８１ｎの出力波形を基準値と比較してレベル検出を行い、検出結果を演算制御回路９０に出力している。
【００４３】
サーミスタ９ａは、例えば収納トレー５の中央のような所定位置に固定され、収納筐体１の内部温度を測定する温度測定手段である。このサーミスタ９ａからの温度信号は、温度補正回路９ｂに出力され、それぞれのコイルセンサ８ａ〜８ｎによる棒金硬貨の検知結果に対して温度補正するための補正信号を演算制御回路９０に出力している。
【００４４】
演算制御回路９０では、温度補正回路９ｂからの補正信号によって、各硬貨ポケット３１〜３９での検知結果について補正演算を行う。また、記憶回路９１は、フォトセンサ７ａ〜７ｎおよびコイルセンサ８ａ〜８ｎなどのセンサ手段により検知された棒金硬貨の有無および棒金硬貨の脱着履歴を硬貨ポケット毎に記憶するものである。
【００４５】
こうしたサーミスタ９ａでの測定温度による補正演算を行う場合、通常であれば各磁気コイル８１ａ〜８１ｎの近傍にそれぞれ温度測定手段を設けて、個別の棒金硬貨の検知結果を補正することが好ましい。しかし、ここでは例えば記憶回路９１などに予め収納筐体１各部の温度分布特性を格納しておくことで、収納筐体１の基準となる内部温度を一箇所だけで測定し、温度補正回路９ｂからの補正信号に対して、演算制御回路９０により各硬貨ポケット３１〜３９の配置に応じた補正値を決定できる。こうすれば、収納トレー５の大きさに応じて複数の温度検出手段を設ける必要がなくなるので、レベル検出回路８３ａ〜８３ｎにおける棒金硬貨の材質に応じた金種判定などの正確さを確保したうえで、製品コストを抑えることができる。
【００４６】
なお、図１では硬貨収納管理装置の収納トレー５には、硬貨ポケット３１〜３９だけを示しているが、実際には更に多くの硬貨ポケットが形成されている。
トレー開閉検知回路９２は、収納筐体１からドロア２によって収納トレー５が引き出されたかどうかを検知する回路であって、フォトセンサ７ａ〜７ｎ、コイルセンサ８ａ〜８ｎの発振制御回路８２ａ〜８２ｎ、および記憶回路９１に検知結果を出力している。ドロア２が閉じている場合は、収納トレー５の各硬貨ポケット３１〜３９に収納された棒金硬貨が脱着されない。したがって、トレー開閉の検知信号を受けて、ドロア２が閉じているときはフォトセンサ７ａ〜７ｎおよび発振制御回路８２ａ〜８２ｎをオフにしても不都合は無く、これによって無駄な電力消費を抑えることができる。
【００４７】
この場合、ドロア２を開いている間は、棒金硬貨の脱着履歴が記憶回路９１により記憶される。また、ドロア２を閉じた時点では収納状態が確定され、その後も記憶回路９１の記憶内容が正確に保持できる。
【００４８】
なお、上位のＰＯＳシステムなどに記憶回路９１で記憶された棒金収納状態を通知するように構成することも可能である。こうすることで、釣銭払出機と一体に用いる硬貨収納管理装置では、釣銭払出機への釣銭硬貨の補充管理、および釣銭払出機から溢れた硬貨の収納管理などにおける継続的な監視が可能になるから、保守が容易になるとともに、トラブル発生時での原因解明や必要な対応策を迅速に実行できる。
【００４９】
発光表示装置６は、各硬貨ポケット３１〜３９に対応して設けられた表示ランプ（以下、ＬＥＤ６ａ〜６ｎという。）を備え、表示制御回路９３を介して演算制御回路９０に接続されている。ＬＥＤ６ａ〜６ｎは、例えば緑色と赤色の２色を切り替えて発光する発光ダイオードであって、フォトセンサ７ａ〜７ｎおよびコイルセンサ８ａ〜８ｎにより検知された棒金硬貨の有無、および金種等に応じて、表示制御回路９３によって点消灯または点滅制御されるものである。
【図面の簡単な説明】
【００５０】
【図１】実施の形態に係る硬貨収納管理装置を示す斜視図である。
【図２】収納トレーの硬貨ポケットに装着されるアダプタの一例を示す斜視図である。
【図３】各種サイズの硬貨を硬貨ポケットに収納した状態を示す断面図である。
【図４】収納トレーにおける各硬貨ポケットに収納される硬貨サイズなどを示す図である。
【図５】アダプタを用いた硬貨ポケットに適正な形状の棒金硬貨を収納した状態を示す平面図である。
【図６】アダプタを用いた硬貨ポケットに外形寸法が不適正な棒金硬貨を収納した状態を示す図であって、（Ａ）は棒金径が大きい場合の横断面図、（Ｂ）は棒金長さが長い場合の縦断面図である。
【図７】本発明の硬貨収納管理装置に適用される硬貨管理回路の一例を示すブロック図である。
【図８】従来の釣銭補充管理システムの一例を示す図である。
【符号の説明】
【００５１】
１  収納筐体（棒金ストッカ）
２  ドロア
５  収納トレー
６ａ〜６ｎ  表示ランプ
７ａ〜７ｎ  フォトセンサ
８ａ〜８ｎ  コイルセンサ
３０  アダプタ
３０ａ  第１のアダプタ
３０ｂ  第２のアダプタ
３１〜３９  硬貨ポケット
Ｇ  五百円棒状硬貨
Ｇａ  一円棒状硬貨
Ｇｂ  十円棒状硬貨
【図１】
2008305033.tif 000003
【図２】
2008305033.tif 000004
【図３】
2008305033.tif 000005
【図４】
2008305033.tif 000006
【図５】
2008305033.tif 000007
【図６】
2008305033.tif 000008
【図７】
2008305033.tif 000009
【図８】
2008305033.tif 000010